(57)【要約】【課題】内部で短絡事故が発生しても、背面からのアークの吹き出しを防止できる高圧キャビネットを提供する。【解決手段】幹線ケーブルに開閉器等を介して引き込みケーブルを接続するのに用いる高圧キャビネットにおいて、少なくとも幹線ケーブルが位置する部分の背面側を、２枚の金属板５５，１２間に絶縁層（１１，１３）を介在させた三重構造として、幹線ケーブルの短絡事故によって背面側にアークエネルギーが生じた際に、内側の金属板１１でアークエネルギーを減衰させ、さらに絶縁層（１１，１５）によって外側の金属板５５へのアーク電流を遮断して、背面からのアークの吹き出しを防止する。【選択図】図２
0003121115.tif 000002
【実用新案登録請求の範囲】
【請求項１】
幹線ケーブルに開閉器等を介して引き込みケーブルを接続するのに用いる高圧キャビネットにおいて、
少なくとも前記幹線ケーブルが位置する部分の背面側を、２枚の金属板間に絶縁層を介在させた三重構造としたことを特徴とする高圧キャビネット。
【請求項２】
前記絶縁層を、絶縁板をもって構成したことを特徴とする請求項１に記載の高圧キャビネット。
【請求項３】
前記絶縁層を、空気層をもって構成したことを特徴とする請求項１に記載の高圧キャビネット。
【考案の詳細な説明】
【技術分野】
【０００１】
本考案は、高圧需要家に電力を供給するのに設置する高圧キャビネットに関するものである。
【背景技術】
【０００２】
高圧キャビネットは、前面を防爆構造の２重の扉とした箱型に形成され、内部にモールドジスコン等の開閉器などを配置して、電力会社側の幹線ケーブルに開閉器などを介して需要家側の引き込みケーブルを接続するのに用いられている（例えば、非特許文献１参照）。
【０００３】
このような高圧キャビネットとしては、自立形のものや壁掛形のものが知られており、また自立形のものとして防錆処理を施したものも知られている。
【０００４】
図４乃至図６は従来の高圧キャビネットを示すもので、図４は正面図、図５は扉を取り外した内部の接続状態を示す図、図６は縦断側面図である。
【０００５】
この高圧キャビネットは、自立形のもので、基礎部５１上に断面Ｌ型の本体フレーム５２によって箱型に骨組された本体５３が形成されている。本体５３の上面、背面および両側面は、鉄板等の金属板からなる上面板５４、背面板５５および両側面板５６Ｒ，５６Ｌで覆われており、底面は電力会社側の幹線ケーブルである３相（３本）の電源ケーブル６１Ａおよび送りケーブル６１Ｂと、需要家側の３相の引き込みケーブル６２とをそれぞれ導入できるように、分割された金属板からなる底面板５７が組み付けられるようになっている。なお、上面板５４の内側には、屋根形の結露防止板５８が設けられている。
【０００６】
また、前面側には、電力会社側の扉６３と需要者側の扉６４とが観音開きとなるように設けられており、これら扉６３，６４は前面側に設けられた扉合わせ板６５で合わされるようになっている。
【０００７】
扉６３，６４は、それぞれ内扉６６および外扉６７からなる防爆構造の２重扉となっており、それぞれ扉止め金具６８を有しており、さらに扉６６にはピラー錠６９が設けられている。
【０００８】
また、キャビネット内で、背面板５５の上部側および下部側には、それぞれ水平方向に延在して骨組７１およびブラケット取付板７２が設けられている。
【０００９】
この高圧キャビネットでは、骨組７１の電力会社側に電源ケーブル用の３個の例えば開閉器７５Ｕ，７５Ｖ，７５Ｗと、送りケーブル用の３個の例えば開閉器７６Ｕ，７６Ｖ，７６Ｗとを取り付け、骨組７１の需要者側には引き込みケーブル用の３個の例えば開閉器７７Ｕ，７７Ｖ，７７Ｗを取り付けて、開閉器７５Ｕ，７５Ｖ，７５Ｗのそれぞれの一端側に底面側から導入した３相の電源ケーブル６１Ａを接続し、開閉器７６Ｕ，７６Ｖ，７６Ｗのそれぞれの一端側には底面側から導入した３相の送りケーブル６１Ｂを接続し、開閉器７７Ｕ，７７Ｖ，７７Ｗのそれぞれの一端側には底面側から導入した３相の引き込みケーブル６２を接続する。
【００１０】
また、開閉器７５Ｕ，７６Ｕ，７７Ｕの他端側は、銅帯母線７８Ｕに共通に接続し、開閉器７５Ｖ，７６Ｖ，７７Ｖの他端側は、同様に銅帯母線７８Ｖに共通に接続し、開閉器７５Ｗ，７６Ｗ，７７Ｗの他端側は、同様に銅帯母線７８Ｗに共通に接続する。
【００１１】
このようにして、高圧キャビネット内で、電力会社側の幹線ケーブル６１Ａ，６１Ｂに需要家側の引き込みケーブル６２を接続して高圧需要家に電力を供給するようにしている。
【００１２】
なお、３相の電源ケーブル６１Ａ、送りケーブル６１Ｂおよび引き込みケーブル６２は、それぞれブラケット取付板７２に取り付けたブラケット８１Ａ，８１Ｂおよび８２によって纏めるとともに、底面板５７からの導入部分は、ケーブルカバー８３Ａ，８３Ｂおよび８４で覆うようにしている。
【００１３】
【非特許文献１】関根泰次監修、「配電技術総合マニュアル」、第１版、株式会社オーム社、１９９１年１１月３０日、ｐ．１７０−１７１
【考案の開示】
【考案が解決しようとする課題】
【００１４】
しかしながら、上述した従来の高圧キャビネットは、正面の扉６３，６４はそれぞれ防爆構造の２重扉となっており、天井は上面板５４と屋根形の結露防止板５８との二重構造となっているが、その他の面は鉄板等の一枚の金属板で構成されている。
【００１５】
このため、内部で短絡事故が発生した場合には、特に電源ケーブル６１Ａ、送りケーブル６１Ｂおよび引き込みケーブル６２に近い背面板５５からアークの吹き出しが発生する恐れがある。なお、短絡事故は、特に、電源ケーブル６１Ａおよび送りケーブル６１Ｂが接近して収容される電力会社側において発生し易い。
【００１６】
したがって、かかる事情に鑑みてなされた本考案の目的は、内部で短絡事故が発生しても、背面からのアークの吹き出しを防止できる高圧キャビネットを提供することにある。
【課題を解決するための手段】
【００１７】
上記目的を達成する請求項１に係る考案は、幹線ケーブルに開閉器等を介して引き込みケーブルを接続するのに用いる高圧キャビネットにおいて、少なくとも前記幹線ケーブルが位置する部分の背面側を、２枚の金属板間に絶縁層を介在させた三重構造としたことを特徴とするものである。
【００１８】
請求項２に係る考案は、請求項１に記載の高圧キャビネットにおいて、前記絶縁層を、絶縁板をもって構成したことを特徴とするものである。
【００１９】
請求項３に係る考案は、請求項１に記載の高圧キャビネットにおいて、前記絶縁層を、空気層をもって構成したことを特徴とするものである。
【考案の効果】
【００２０】
本考案によると、幹線ケーブルの短絡事故によって背面側にアークエネルギーが生じても、そのアークエネルギーは内側の金属板で減衰され、さらに絶縁層によって外側の金属板へのアーク電流が遮断されるので、背面からのアークの吹き出しを防止することができる。
【考案を実施するための最良の形態】
【００２１】
以下、本考案に係る高圧キャビネットの実施の形態について、図１乃至図３を参照して説明する。
【００２２】
（第１実施の形態）
図１および図２は本考案の第１実施の形態を示すもので、図１は高圧キャビネットの内部を示す図、図２は図１のＡ−Ａ線拡大断面図である。なお、図１では、高圧キャビネット単体を、正面の扉を取り外して示したもので、幹線ケーブルおよび引き込みケーブルや、それらの接続に関連して設けられる開閉器等の部材は、図示を省略している。また、図４乃至図６に示した高圧キャビネットの構成要素と同一要素には同一参照符号を付して、その説明を省略する。
【００２３】
本実施の形態の高圧キャビネットは、電力会社側の背面側で、電源ケーブルおよび送りケーブルの幹線ケーブルが位置する部分、すなわち骨組７１の下方部分に、絶縁板１１を配置するとともに、この絶縁板１１を外側の背面板５５と挟持するように、背面板５５と同じ鉄板等の金属板からなる内側背面板１２を、本体フレーム５２に植設したボルト１３に通してナット１４により本体フレーム５２に固定する。これにより、電力会社側の幹線ケーブルが位置する背面側を、背面板５５、絶縁板１１および内側背面板１２との三重構造としたものである。
【００２４】
なお、絶縁板１１は、例えば耐燃性に優れたポリエステルガラスマットの積層体を用いる。また、絶縁板１１および内側背面板１２の端面は、好ましくはシリコン樹脂によりコーキング処理して、絶縁板１１の防水対策を施しておく。
【００２５】
このように、電力会社側の幹線ケーブルが位置する背面側を、金属の背面板５５、絶縁板１１、および金属の内側背面板１２からなる三重構造とすれば、幹線ケーブルで短絡事故が発生して、背面側にアークエネルギーが生じても、そのアークエネルギーを内側背面板１２で減衰でき、さらに絶縁板１１によって外側の背面板５５へのアーク電流を遮断できるので、背面からのアークの吹き出しを確実に防止することができる。
【００２６】
（第２実施の形態）
図３は、本考案の第２実施の形態に係る高圧キャビネットの要部断面図であり、図１のＡ−Ａ線拡大断面図に相当するものである。
【００２７】
本実施の形態は、第１実施の形態において、絶縁板１１を省略して、外側の背面板５５と内側背面板１２との間を空間１５（空気層）とした三重構造としたものである。
【００２８】
したがって、本実施の形態においても、第１実施の形態と同様に、内側背面板１２でアークエネルギーを減衰でき、さらに内側背面板１２と外側の背面板５５との間の空気層１５で外側の背面板５５へのアーク電流を遮断できるので、背面からのアークの吹き出しを防止することができる。しかも、第１実施の形態と比較して、絶縁板１１を用いない分、コストダウンが図れる利点がある。
【００２９】
なお、本考案は、上記実施の形態に限定されることなく、幾多の変形または変更が可能である。例えば、第１実施の形態や第２実施の形態で示した三重構造は、電力会社側の幹線ケーブルが位置する背面側に限らず、需要者側の引き込みケーブルが位置する背面側等の適宜の部分に採用したり、背面全体、さらには両側面全体に採用したりすることもできる。また、第１実施の形態の絶縁板１１を有する三重構造と、空気層１３を有する三重構造とを適宜組み合わせることもできる。
【図面の簡単な説明】
【００３０】
【図１】本考案の第１実施の形態に係る高圧キャビネットの内部を示す図である。
【図２】図１のＡ−Ａ線拡大断面図である。
【図３】第２実施の形態の要部の構成を示す拡大断面図である。
【図４】従来の高圧キャビネットの正面図である。
【図５】図４の扉を取り外した内部の接続状態を示す図である。
【図６】図４の縦断側面図である。
【符号の説明】
【００３１】
１１  絶縁板
１２  内側背面板
１３  ボルト
１４  ナット
１５  空気層
５２  本体フレーム
５５  背面板
【図１】
0003121115.tif 000003
【図２】
0003121115.tif 000004
【図３】
0003121115.tif 000005
【図４】
0003121115.tif 000006
【図５】
0003121115.tif 000007
【図６】
0003121115.tif 000008